(57)【要約】      （修正有）【課題】一部の透光性糸を所定のパターンで露出させたジャカード織り構造を提供する。【解決手段】グラデーション感の発光効果を備えるジャカード織り構造は、複数本の不透光性糸、複数本の透光性糸、及び一つの発光モジュールを含む。透光性糸と不透光性糸とを織り上げて、透光性糸の一部が不透光性糸で遮蔽され、その他の部分で透光性糸が露出した所定の配列パターンを形成する。発光モジュールは透光性糸の末端に設置され、発光モジュールからの光が透光性糸へ入射され、透光性糸が露出する部分で発光ブライト・エリア形成し、透光性糸が不透光性糸で遮蔽された部分で遮蔽ダーク・エリアを形成し、背部に透光性糸が存在しない不透光性糸が露出する部分で非発光エリアを形成する。【選択図】図４Ａ
0003126729.tif 000002
【実用新案登録請求の範囲】
【請求項１】
複数本の透光性糸と複数本の不透光性糸とが織り上られて、透光性糸の一部が不透光性糸で遮蔽されると共に、透光性糸の残りの部分が所定の配列パターンで露出され、
上記透光性糸の一端に発光モジュールが配置されて、この発光モジュールからの光が上記の不透光性糸によって遮られたダーク・エリアを形成すると共に、上記発光モジュールからの光が上記の所定の配列パターンの透光性糸を通して外部に拡散する発光ブライト・エリアを形成することを特徴とするグラデーション感の発光効果を備えるジャカード織り構造。
【請求項２】
上記の不透光性糸は、化学繊維糸であることを特徴とする請求項1に記載のグラデーション感の発光効果を備えるジャカード織り構造。
【請求項３】
上記の透光性糸は、側面から光を放射する光ファイバーであることを特徴とする請求項1に記載のグラデーション感の発光効果を備えるジャカード織り構造。
【請求項４】
上記の透光性糸は、透明の熱硬化性材料から製造されることを特徴とする請求項1に記載のグラデーション感の発光効果を備えるジャカード織り構造。
【請求項５】
上記の透光性糸の材質は、ポリカーボネート、ポリスチレン、ポリメチルメタクリレート、メチルメタクリレート／スチレン・コポリマー、熱可塑性ポリウレタンとエチレンビニルアセテートからなる群から選択された一つであることを特徴とする請求項1に記載のグラデーション感の発光効果を備えるジャカード織り構造。
【請求項６】
上記の透光性糸は、規則的な配列パターンで、それぞれ上記の不透光性糸と織り上げたことを特徴とする請求項1に記載のグラデーション感の発光効果を備えるジャカード織り構造。
【請求項７】
上記の透光性糸、不規則的な配列パターンで、それぞれ上記の不透光性糸と織り上げたことを特徴とする請求項1に記載のグラデーション感の発光効果を備えるジャカード織り構造。
【請求項８】
上記の発光モジュールは、一つの発光ユニットと、上記の発光ユニットを制御するように用いられる一つの制御ユニットとから組成されることを特徴とする請求項1に記載のグラデーション感の発光効果を備えるジャカード織り構造。
【請求項９】
上記の透光性糸の末端は、一つの光源入口に集束され、且つ上記の発光ユニットが提供する光線が上記の光源入口から上記の透光性糸へ入射されることを特徴とする請求項８に記載のグラデーション感の発光効果を具するジャカード織り構造。
【請求項１０】
上記の発光モジュールは、複数本の発光ユニットと、上記の発光ユニットを制御するように用いられる一つの制御ユニットとから組成されることを特徴とする請求項1に記載のグラデーション感の発光効果を備えるジャカード織り構造。
【請求項１１】
上記の透光性糸の末端は、それぞれ複数本の光源入口に集束され、且つ当該発光ユニットからの光線がそれぞれ対応する上記の光源入口から上記の透光性糸へ入射されることを特徴とする請求項1０に記載のグラデーション感の発光効果を備えるジャカード織り構造。
【請求項１２】
上記の所定の配列パターンは、文字、数字、縞模様、絵模様であることを特徴とする請求項1に記載のグラデーション感の発光効果を備えるジャカード織り構造。
【請求項１３】
上記の所定の配列パターンは、一つの連続的な模様であることを特徴とする請求項1に記載のグラデーション感の発光効果を備えるジャカード織り構造。
【請求項１４】
上記の所定の配列パターンは、複数の非連続的な模様であることを特徴とする請求項1に記載のグラデーション感の発光効果を備えるジャカード織り構造。
【考案の詳細な説明】
【技術分野】
【０００１】
本考案は、グラデーション感の発光効果を与えるジャカード織り構造に関し、特に複数本の透光性糸と複数本の不透光性糸とを織り上げて配列することにより、一部の透光性糸を所定の配列パターンで露出させたジャカード織り構造に関する。
【背景技術】
【０００２】
夜間に身装品（例えば着物など）に強烈な照明装飾または警告効果を与えるために、従来では、身装品の上に反射光条を貼り付けることにより、光の照射を受けて反射光の警告を備える効果とする。然しながら、その欠点は、受動的な発光、即ち反射であるため、自身で発光できず且つ光の照射を受ければ自動的に反射光の警告作用を与えてしますという欠点がある。
【０００３】
このため、上記の欠点を解決するために、従来の技術では、能動式の発光装置を身装品の上に結合させている。
【０００４】  例えば図１に示すように、従来の光ファイバーを織り上げた織物とマスクの対応を利用することにより、特定な発光領域を備える発光標示構造を構成している。身装品の上に形成する、例えば、「（公序良俗違反につき、不掲載）」のフォントに発光効果を与えるために、まず一つのマスク１ａの上に一つの透光領域１０ａと不透光領域１１ａを設計し、透光領域１０ａを「（公序良俗違反につき、不掲載）」のフォントに対応させる。【０００５】
マスク１ａの下方では、一つの光ファイバー織布２ａと一つの反射織布３ａを順番に設置する。この光ファイバー織布２ａは、複数本の側面から光りを放射するプラスチック光ファイバー２０ａと複数本の白色繊維ヤーン２１ａを織り上げて形成され、一つの発光モジュール（例えば複数本のＬＥＤの発光素子であってもよい）（図示せず）からの放射光をプラスチック光ファイバー２０ａへ入射させることにより、光ファイバー織布２ａが大面積の発光領域を生成する。この光ファイバー織り２ａの下方に配置する反射織布３ａは、光ファイバー織布２ａからの下方への光漏れを防止するように用いられ、光ファイバー織布２aからの光をマスク１ａへ反射する。このマスク１ａの上にも、マスク１ａを保護するように用いられる透明テープ層４ａを設けている。
【０００６】  これにより、光ファイバー織布２ａからの光線をマスク１ａへ放射することで、マスク１ａの透光領域１０ａである「（公序良俗違反につき、不掲載）」のフォントが照射されて、装飾の効果を発揮する。然しながら、このような方式は、マスクの変更に伴って、異なる模様の装飾効果を達成できるが、ただその構造が複雑すぎるため、製造のコストが増加する。【０００７】
図２と図３は他の従来技術を示すもので、身装品の上に所定の形状に折り曲げられた光ファイバーを縫いつけた構造を示す。このような構造は、光ファイバー１０ｂを所定形状１ｂに折り曲げた後に、これを身装品（例えば靴下２ｂ）の上に縫い付けることで完成され、一つの発光素子（図示せず）からの放射光を光ファイバー１０ｂへ供給することにより、靴下２ｂのパターン２０ｂの部分領域が照らされるという効果がある。然しながら、このような方式により設計された光ファイバー構造は、複雑すぎて製造が難しく、従って、多様な発光装飾効果を達成することができず。
【考案の開示】
【０００８】
本考案が解決しようとする技術課題は、複数本の透光性糸と複数本の不透光性糸と織り上げて配列することにより、一部の透光性糸を所定のパターンで露出させたジャカード織り構造を提供することである。この構造により、以下の利点を与える。
【０００９】
１．工程の簡略化：本考案は、光ファイバーを身装品（例えば着物など）の上に縫い付ける必要がなく、複数本の透光性糸と複数本の不透光性糸とを所定のパターンで織り上げるだけで、身装品と発光装飾模様を同時に完成できる。
【００１０】
２．複雑且つ明暗コントラストがはっきりした発光装飾模様を作成できること：本考案では不透光性糸によって発光する必要がない領域を遮蔽することにより、表現しようとする発光模様が生成できたものである。
【００１１】
３．自動化の製造できること：本考案は、伝統な自動化のジャカード織り設備を使用して、異なる発光装飾模様が付加された織物が完成できる。
【００１２】
前記の技術問題を解決するために、本考案では、グラデーション感の発光効果を備えるジャカード織り構造を提供するもので、複数本の透光性糸と、複数本の不透光性糸と、一つの発光モジュールで構成される。上記の透光性糸と上記の不透光性糸とを織り上げることで、透光性糸の一部が不透透光性糸にて遮蔽され、透光性糸の残りの部分が所定のパターンで露出し、発光モジュールが透光性糸の末端に設置される。
【００１３】
これにより、発光モジュールからの光が透光性糸に入射され、透光性糸が不透光性糸によって遮られた部分にダーク・エリアを形成すると共に、透光性糸が露出する部分で、発光モジュールからの光が所定の配列パターンの透光性糸を通して外部に拡散する発光ブライト・エリアを形成する。また、不透光性糸のみを交差させて織り上げた部分では、光を発散させない非発光エリアを形成して、この３つのエリアの組み合わせでグラデーション効果が発揮される。
【００１４】
上記の課題を達成する本考案について、ここで採用される技術・手段および効果が、より理解できるように、以下の詳細な説明及び添付の図面を参照して説明する。これにより本考案の目的、特徴と特色が具体的に理解できるものであるが、添付の図面は単に参考と説明用に供するもので、本考案をより限定するためものではない。
【考案を実施するための最良の形態】
【００１５】
図４及び図４Ａは、本考案の第1の実施形態に係るグラデーション感の発光効果を備えるジャカード織り構造を示すもので、この実施形態では、図４に示すように、本考案のジャカード織り構造を文字数字の発光表示に適用した例を示す。図に示すように、本考案に係るジャカード織り構造は、複数本の不透光性糸１と、複数本の透光性糸２と、一つの発光モジュール３とで構成される。
【００１６】
上記の不透光性糸１は、化学繊維ヤーン（yarn）または如何なる不透光性ヤーンであってもよい。上記の透光性糸２は、側面から光を放射する構造の光ファイバーや如何なる透光性を備えた可撓性の糸であってもよい。さらに、この透光性糸２は透明の熱硬化性材料から製造でき、ポリカーボネート（Polycarbonate）、ポリスチレン（Polystyrene）、ポリメチルメタクリレート（Polymethyl Methacrylate）、メチルメタクリレート／スチレン・コポリマー（MMA Styrene Copolymer）、熱可塑性ポリウレタン（Thermoplastic Polyurethane）とエチレンビニルアセテート（Ethylene Vinyl Acetate）からなる群から選択された一つであってもよい。ここで例示する材質は本考案を限定するようもではなく、全ての不透光機能を備える糸や透光機能を備える糸を採用することは、何れも本考案の範疇である。
【００１７】
上記の透光性糸２は、上記の不透光性糸１と相互に交差させて編み上げることで、不透光性糸１にて透光性糸２の一部を遮蔽し、撓性透光性糸が他の部分で露出することで所定の配列パターンＳを一つ形成する。一方、不透光性糸１のみを交差させて織り上げた部分、即ち、透光性糸２が背部に存在しない部分では非発光エリアを形成する。図４に示す実施形態では、この配列パターンSで「TAIWAN NO.1」なる文字を構成している。上記の透光性糸２は、規則的または不規則的な方式により、それぞれ不透光性糸１と交差させて所定の配列パターンを形作る。この所定の配列パターンSは、一つの連続した模様、或いは複数の非連続的な模様で構成されるようにしてもよい。
【００１８】
図４Ａに示すように、上記の発光モジュール３は、透光性糸２の末端に設置されるもので、発光ユニット３０と、発光ユニット３０を制御するための制御ユニット３１とで構成される。各透光性糸２の末端が一つの光源入口２０に集束されており、発光ユニット３０で発生される光は、光源入口２０から放射される。すなわち、発光モジュール３からの光が透光性糸２へ入射され、透光性糸２の一部は、不透光性糸１で遮蔽されることで遮蔽ダーク・エリアを一つ形成し、残りの部分で上記の配列パターンＳに対応する発光ブライト・エリア２１を一つ形成する。不透光性糸１のみを交差させて織り上げた部分は非発光エリア１０を構成する。ここで、上記のダーク・エリアでは、不透光性糸１で遮蔽された透光性糸２からの多少の光が不透光性糸１の回りから漏れ出ることで、多少の輝度の光がダーク・エリアに与えられることになり、この結果、光の輝度は発光ブライト・エリア、ダーク・エリア、非発光エリアの順に低くなり、グラデーション効果が得られる。
【００１９】
図４Ｂは本考案の第2の実施形態を示す。本実施形態で使用される発光光モジュール３’は、複数の発光ユニット３０’と、発光ユニット３０’を制御するための一つの制御ユニット３１’とで構成される。透光性糸２’は不透光性糸１’と交差して織り上げられ、透光性糸２’の末端がそれぞれ複数の光源入口２０’に集束され、各発光ユニット３０’で発生される光が対応する光源入口２０’から放射される。
【００２０】
図５は、本考案のグラデーション感の発光効果を備えるジャカード織り構造において、上記の配列パターンで縞模様S1と絵模様S2との両方を実現した例を示す。即ち、前述の実施形態において形成した発光文字に代えて、縞模様S1や絵模様S2を上記の配列パターンで実現した例を示す。
【００２１】
上述したように、本考案にあっては、複数本の透光性糸と複数本の不透光性糸とを織り上げて配列することにより、一部の透光性糸を所定の配列パターンSで露出させるジャカード織り構造を提供するものであって、以下の利点を備える。
【００２２】
１．工程の簡略化：本考案は、光ファイバー等を身装品（例えば着物など）の上に縫い付ける必要がなく、透光性糸２と当該不透光性糸１とを織り上げるだけで、身装品と発光装飾模様を同時に完成できる。
【００２３】
２．複雑且つ明暗コントラストの明らかな発光構造を実現できること：本考案では、透光性糸が露出した部分、透光性糸が不透光性糸で遮蔽された部分、不透光性糸のみで織り上げた部分（背面に透光性糸が存在しない状態で不透光性糸が露出した部分）を自由に組み合わせることが出来るため、グラデーション効果が追加された複雑な模様を得ることができる。
【００２４】
３．自動化の製造できること：本考案は、伝統な自動化のジャカード織り設備を利用することで、いろんな配列パターンを織り上げることができる。
【００２５】
上記の叙述は、本考案の最も好ましい具体的な実施形態について図面を参照して説明したものであるが、これらの説明や図面は本考案を限定するように用いられるものではなく、本考案の権利範囲は実用新案登録請求の範囲において規定される。本考案の請求の範囲に規定される内容に基づく如何なる変更態様についても、本考案の範疇中に含まれる。
【図面の簡単な説明】
【００２６】
【図１】光ファイバーと及びマスクとを用いて特定の発光領域を形成した従来の発光標示構造を示す図である。
【図２】所定の形状に折り曲げられた従来の光ファイバーの構造の模式図である。
【図３】図２の構造を着物に適用した従来技術を示す模式図である。
【図４】本考案に係るグラデーション感の発光効果を備えるジャカード織り構造の一実施形態を示す模式図であり、文字数字を発光表示させる例を示す。
【図４Ａ】図４中のＡで示す部分と本考案に使用する発光モジュールとを示す模式図である。
【図４Ｂ】図４中のＡで示す部分と本考案に使用する他の形態の発光モジュールとを示す模式図である。
【図５】本考案のグラデーション感の発光効果を備えるジャカード織り構造で、縞模様と絵模様を実現した例を示す模式図である。
【符号の説明】
【００２７】
Ｓ  配列パターン
Ｓ１  縞模様   
Ｓ２  絵模様
１  不透光性糸
１’   不透光性糸
１ａ  マスク  
１ｂ  光ファイバー構造
２  透光性糸
２’   透光性糸
２ａ  光ファイバー織り  
２ｂ  靴下
３  発光モジュール   
３’  発光モジュール
３ａ  反射織布
４ａ  透明テープ層
１０  非発光エリア
１０ａ  透光領域
１０ｂ  光ファイバー
１１ａ  不透光領域
２０  光源入口
２０’  光源入口
２０ａ  プラスチック光ファイバー
２０ｂ  パターン
２１  発光ブライト・エリア
２１ａ  白色繊維ヤーン
３０  発光ユニット
３０’  発光ユニット
３１  制御ユニット
３１’  制御ユニット
【図１】
0003126729.tif 000003
【図２】
0003126729.tif 000004
【図３】
0003126729.tif 000005
【図４】
0003126729.tif 000006
【図４Ａ】
0003126729.tif 000007
【図４Ｂ】
0003126729.tif 000008
【図５】
0003126729.tif 000009
【手続補正書】
【提出日】平成18年8月11日(2006.8.11)
【手続補正１】
【補正対象書類名】実用新案登録請求の範囲
【補正対象項目名】請求項７
【補正方法】変更
【補正の内容】
【請求項７】
上記の透光性糸は、不規則的な配列パターンで、それぞれ上記の不透光性糸と織り上げたことを特徴とする請求項1に記載のグラデーション感の発光効果を備えるジャカード織り構造。
【手続補正２】
【補正対象書類名】明細書
【補正対象項目名】０００４
【補正方法】変更
【補正の内容】
【０００４】
例えば図１に示すように、従来の光ファイバーを織り上げた織物とマスクの対応を利用することにより、特定な発光領域を備える発光標示構造を構成している。身装品の上に形成する、例えば、「ＳＴＯＰ」のフォントに発光効果を与えるために、まず一つのマスク１ａの上に一つの透光領域１０ａと不透光領域１１ａを設計し、透光領域１０ａを「ＳＴＯＰ」のフォントに対応させる。
【手続補正３】
【補正対象書類名】明細書
【補正対象項目名】０００６
【補正方法】変更
【補正の内容】
【０００６】
これにより、光ファイバー織布２ａからの光線をマスク１ａへ放射することで、マスク１ａの透光領域１０ａである「ＳＴＯＰ」のフォントが照射されて、装飾の効果を発揮する。然しながら、このような方式は、マスクの変更に伴って、異なる模様の装飾効果を達成できるが、ただその構造が複雑すぎるため、製造のコストが増加する。
【手続補正４】
【補正対象書類名】図面
【補正対象項目名】図１
【補正方法】変更
【補正の内容】
【図１】
0003126729.tif 000010